(57)【要約】      （修正有）【課題】小型であっても芳香を特定の遠方領域あるいは広角に強く送風可能な芳香装置を提供する。【解決手段】送風ファン３の前方に気流本流２Ｈを導くダクトを形成した本体下部に芳香剤カートリッジ４を配置し、ダクト側面部に、凹状スロープがスパイラル状に前記ダクト内に潜り込んだ形状の外部気流吸込み気孔２Ｂを形成した装置であり、前記送風ファンの作動により、気流本流に対して前記外部気流吸込み気孔から取り込まれた気流が合流することによってダクトから放出される風量が増幅され、また、前記外部気孔吸込み気孔から流入する気流が形成する渦巻流を利用することにより、強い気流を遠方へ送風する、あるいは広く拡散された送風を行うことが可能な、芳香装置。【選択図】図６
2011087880.tif 000002
【特許請求の範囲】
【請求項１】
送風ＦＡＮとそれを囲んだカバー（送風ダクト）と、そのダクトに芳香成分を揮発させるカートリッジで構成された芳香装置に、送風ダクトの側面に、外部気流を誘いこむ凹状のなだらかなスロープを、ダクト内側の下流側へ徐々にもぐり込ませ、開口させ、その開口部がダクト内気流本流の影響で負圧になることを利用して、外部気流を誘い込むようにした気孔を持った芳香装置。
【請求項２】
外部気流を誘い込む凹状のなだらかなスロープ形状をスパイラル状に本流気流のダクトに巻き付けるように配置して、本流ダクト内側へもぐりこませ、外部気流を渦巻き状に本流と合流させて、渦巻きにより発生する負圧渦の移動を利用して、より強い気流流量増幅を遠くへ送風させるか、気流を多方角に渦状にして広く拡散させるダクト構造とした請求項１記載の芳香装置。
【請求項３】
外部気流を誘い込む凹状のなだらかなスロープのサイズと方向をダクト方向に送風が角度を持つように配置させ、送風角度も調整したダクト構造とした請求項１記載の芳香装置。
【発明の詳細な説明】
【技術分野】
【０００１】  本発明は、芳香装置に関する。
【背景技術】
【０００２】  従来の芳香装置は、送風ＦＡＮのダクト内に、揮発した芳香剤をそのまま送風するものであった。（例えば、特許文献１参照）
また、ダクト内に、芳香剤のカートリッジ容器からチューブ状の管を出し、ダクト内気流の下流側方向へ管を曲げ、そこに開口させ、その開口部に発生した負圧を利用して、芳香剤カートリッジを吸出し、ダクト内へ芳香剤を送風するものもある。（例えば、特許文献２参照）
【先行技術文献】
【特許文献】
【０００３】
【特許文献１】特開２００８−２６３
【特許文献２】特開平８−３４２２７
【発明の概要】
【発明が解決しようとする課題】
【０００５】  以上に述べた従来の芳香装置の問題点は、装置の小さい機器にはスペースの制限があり、また、狭スペースで、風量の豊かな芳香器を実現するには、無理があった。【０００６】  また、積極的に、食品などの独自の芳香刺激を、スポット的に遠くへ強くあるいは、広く送風するのが困難であった。【０００７】  また、送風能力は、送風ＦＡＮの能力で決まってしまい、それ以上送風を強くするとか、ダクト方向へ角度をつけた方向へ調整した風量を送風することが困難であった。【０００８】  本発明は、従来の芳香装置が有していた問題を解決しようとするものであり、小型でも、狭い領域に遠くへ強く、あるいは広い領域に強く、送風角度も調整できる芳香送風を実現することを目的とする。
【課題を解決するための手段】
【０００９】  そして、本発明は上記目的を達成するために、送風ＦＡＮと送風するダクトをＦＡＮの前方に配置する。そして、そのダクト内にある揮発した芳香成分をダクト外に送風して、芳香装置の外に芳香成分を拡散させるにあたり、送風ダクトの側面に、外部気流を誘いこむ凹状のなだらかなスロープを、ダクト内側の下流側へ徐々にもぐり込ませ、開口させ、その開口部がダクト内気流本流の影響で負圧になることを利用して、外部気流を誘い込むようにしたダクトを持つ小型芳香装置としたもので、本流ダクト気流に外部気流の抱きこみを合流させることによってダクト外へ放出される気流流量を増幅させるようにしたものである。【００１０】  また、第２の課題解決手段は、外部気流を誘い込む凹状のなだらかなスロープ形状をスパイラル状に本流気流のダクトに巻き付けるように配置して、本流ダクト内側へもぐりこませ、外部気流を渦巻き状に本流と合流させて、渦巻きにより発生する負圧渦の移動を利用して、より強い気流流量増幅を遠くへ送風させるか、気流を多方角に渦状にして広く拡散させるダクト構造としたものである。【００１１】  また、第３の課題解決手段は、外部気流を誘い込む凹状のなだらかなスロープのサイズと方向をダクト方向に送風が角度を持つように配置させ、送風角度も調整したダクト構造としたものである。
【発明の効果】
【００１２】  上述したように本発明の芳香装置は、小型で小さいＦＡＮの限界ある送風でもＦＡＮ送風能力の４倍風量を増幅させ、且つ、スパイラル状の気流抱き込み気孔で渦巻き状の気流を形成させてより遠くより広く芳香を送風させたり、ダクト方向に対して、角度を持った方向へ芳香を送風することが可能な芳香装置を提供できる。
【図面の簡単な説明】
【００１３】
【図１】  通常ダクトの断面積変化による送風量変化の傾向図
【図２】  本発明の外部気流口面積と本流口面積比と風量変化図
【図３】  上記図２の風量増幅比変化図
【図４】  本発明の実施形態を示す小型芳香装置斜視図
【図５】  本発明の実施形態を示す小型芳香装置正面図
【図６】  本発明の実施形態を示す小型芳香装置断面図
【図７】  本発明の実施ダクト例１形態を示す斜視図
【図８】  本発明の実施ダクト例１形態を示す正面図
【図９】  本発明の実施ダクト例１形態を示す断面図
【図１０】  本発明の実施ダクト例２形態を示す斜視図
【図１１】  本発明の実施ダクト例２形態を示す正面図
【図１２】  本発明の実施ダクト例２形態を示す断面図
【図１３】  本発明の実施ダクト例３形態を示す斜視図
【図１４】  本発明の実施ダクト例３形態を示す正面図
【図１５】  本発明の実施ダクト例３形態を示す断面図
【発明を実施するための形態】
【００１４】  以下、本発明の実施例を図１〜図１５に基づいて説明する。
【実施例】
【００１５】  図１においては、通常の芳香装置のダクト内の気流量について説明したもので、気流出口面積が狭くなると、気流量も小さくなってしまうことをしめしている図である。【００１６】  図２においては、本発明の気流が増幅されることを示す図で、外部気流口が本流気流ダクト内へ面積を広げせり出してくると、本流気流口面積は徐々に面積が小さくなり、その分その本流気流出口では気流の流速が大きくなり、その周辺にある外部気流口では負圧が発生して、より外部気流を外部気流口へ呼び込む結果となる。【００１７】  その結果、図２のようにその比率が増すにつれ、本流と外部気流抱き込み気流の合流による全体の気流量は増加し、４倍もの増幅気流を得ることが可能となる。【００１８】  さらに、比率をあげると、送風ＦＡＮの送風圧限界に達して、本流気流は気流を押し込むことができず、図のように急激に減少することになることを示している。【００１９】  図３は、図２の縦軸の気流量を気流の増幅率に変換して、図にしたものである。【００２０】  図４から図６は、本発明の実施例を示した図である。【００２１】  送風ＦＡＮ３に前方にダクトを形成するようにカバー１で覆い、前後をＦＡＮガード５、前パネル６、後パネル７で構成し、その本体の下部に芳香剤を収納したカートリッジ４を配置した構造である。【００２２】  カバー１の側面に外部気流を吸込む気孔２Ａ、２Ｂを形成し、本体の送風ＦＡＮからの気流本流に影響されて、外部気流吸込み気孔２Ａ、２Ｂのダクト内部の開口部に負圧が発生し、気孔２Ａ、２Ｂから外部気流が流れ込む構造となっている。【００２３】  本流と外部気流気孔２Ａ、２Ｂから取り込まれた気流が合流し、結果的にＦＡＮの送風量に増幅された気流が本体外へ放出されることになる。【００２４】  図７は、上述のカバー１と外部気流吸込み気孔２Ａ、２Ｂをさらに効率をあげた形態をしめしている。【００２５】  図中ダクト８は、そのダクトの実施例であって、ダクトの４方向より、外部気流吸込み気孔９Ａ、９Ｂ、９Ｃ、９Ｄを配して、本流気流口９Ｈが形成されている。【００２６】  図２、図３のグラフしめしたように、上述外部気流吸込み口合計面積（ＳＧ１＋ＳＧ２＋ＳＧ３＋ＳＧ４）と本流気流口面積ＳＨとの比率が７：１ないし８：１になった時、気流の増幅効率が最大現に向上する。
但し、この比率は、送風ＦＡＮの送風圧能力によって比率は前後しる。【００２７】  図８は、前述の開口部を正面から見た図である。【００２８】  図９は、図７、図８の断面図を示す。【００２９】  本流気流９Ｈに、外部気流吸込み気孔９Ａ、９Ｂ、９Ｃ、９Ｄから気流を取り込んで、合流する図である。【００３０】  図１０、１１、１２は、ダクト１０に外部気流吸込み気孔１１Ａ、１１Ｂ、１１Ｃをスパイラル状に気流本流と合流させる実施例を示す。【００３１】  このスパイラル形状により、本流と合流した気流が、渦巻き状に排出されたり、あるいは、渦状に回りに広範囲に拡散されたりできる。【００３２】  図１３、１４、１５は、ダクト１２に外部気流吸込み気孔１３Ａ、１３Ｂ、１３Ｃを配して、本流気流に放出角度を調整したり、流量を調整した実施例を示す。【００３３】  なお、本発明は、何ら上記実施例に限定されるものではなく、例えば、以下のものにも適用可能である。
（１）本発明はどのような大きさの芳香装置にも適用可能であるが、特に、食品棚に置け      るような小型のものに好適である。
（２）また、芳香装置としてのみならず、送風装置、冷却装置としても有効である。
（３）芳香を行うことによって、結果的に防臭を行うような場合も、本発明に含まれる。
【産業上の利用可能性】
【００３４】  産業上の利用可能性としては、食品固有の芳香を送風させる芳香装置、広く消臭させる脱臭装置、ものを冷却させる冷却装置として利用できる。
【符号の説明】
【００３５】  １          カバー（ダクト）
２Ａ、２Ｂ  外部気流吸込み気孔
３          送風ＦＡＮ
４          芳香カートリッジ
５          ＦＡＮガード
６          前パネル
７          後パネル
【図１】
2011087880.tif 000003
【図２】
2011087880.tif 000004
【図３】
2011087880.tif 000005
【図４】
2011087880.tif 000006
【図５】
2011087880.tif 000007
【図６】
2011087880.tif 000008
【図７】
2011087880.tif 000009
【図８】
2011087880.tif 000010
【図９】
2011087880.tif 000011
【図１０】
2011087880.tif 000012
【図１１】
2011087880.tif 000013
【図１２】
2011087880.tif 000014
【図１３】
2011087880.tif 000015
【図１４】
2011087880.tif 000016
【図１５】
2011087880.tif 000017